(57)【要約】【課題】叩きコマンドによる誤動作を防止した携帯機器を提供する。【解決手段】機器が叩かれた衝撃を検出するジャイロセンサ５３と、その出力から特性データを取得するデータ処理手段５４と、特性データと機器を操作するコマンドとの対応関係を示すコマンド解釈情報５６を記憶した記憶手段と、データ処理手段５４が取得した特性データに対応するコマンドを認識し、機器を制御する操作制御手段５５と、携帯機器に接続されたイヤホン１４等に固定された、測温素子２２と、測温素子２２の出力を監視する監視手段６０と、監視手段６０により検出された温度が、所定温度領域内から領域外に変化した遷移パタンを検出したとき、携帯機器の、主要回路の機能を有効にするオンモードから、待機時間経過後に主要回路の機能を無効にするオフモードに移行する機能制限手段を備える。【選択図】図１
2008263477.tif 000002
【特許請求の範囲】
【請求項１】
携帯機器が叩かれた衝撃を検出する衝撃検出センサと、
前記携帯機器が叩かれたときに、前記衝撃検出センサの出力から特性データを取得する
データ処理手段と、
それぞれ異なるパタンで前記携帯機器が叩かれたときに取得された特性データと前記携
帯機器を操作するコマンドとの対応関係を示す、コマンド解釈情報を記憶した記憶手段と
、
前記コマンド解釈情報を参照して、前記データ処理手段が取得した特性データに対応す
るコマンドを認識し、前記携帯機器を制御する操作制御手段と、
前記携帯機器に接続されたイヤホンもしくはイヤホンの付属物に固定された測温素子と
、
前記測温素子の出力を監視する監視手段と、
前記監視手段が、前記測温素子の温度測定値が所定温度領域内から当該所定温度領域外
に変化した遷移パタンを検出したとき、前記携帯機器の、少なくとも前記衝撃検出センサ
の出力を伝達し処理し実行する回路の全部または一部を含む主要回路の機能を有効にする
オンモードから、所定の待機時間経過後に当該主要回路の機能を無効にするオフモードに
移行する機能制限手段を備えたことを特徴とする携帯機器。
【請求項２】
請求項１に記載の携帯機器において、
外気温を測定する補助測温素子と、前記イヤホンもしくはイヤホンの付属物に固定された
測温素子と前記補助測温素子の出力を監視する監視手段とを備え、
前記機能制限手段は、前記監視手段により検出された前記測温素子と前記補助測温素子
の温度測定値の差が、設定値以上から設定値以下の状態に変化した遷移パタンを検出した
とき、前記オンモードから前記オフモードに移行することを特徴とする携帯機器。
【請求項３】
請求項１または２に記載の携帯機器において、
前記測温素子はサーミスタからなり、イヤホンケーブルを介して前記サーミスタを含む
共振回路に励振電流を供給する回路と、温度に依存して変化する前記サーミスタの電気抵
抗と前記共振回路の共振周波数との関係から、温度測定値を示すディジタル信号を取得す
る温度検出インタフェースを備えたことを特徴とする携帯機器。
【請求項４】
請求項１乃至３のいずれかに記載の携帯機器において、
前記監視手段は、
今回測定した温度測定値と直前に測定した温度測定値との差が閾値以下のときは、時間
間隔Ｔ１で前記測温素子の温度測定値を取得する定温確認フェーズで動作し、
今回測定した温度測定値と直前に測定した温度測定値との差が閾値を越えたときは、時
間間隔Ｔ１より短い時間間隔Ｔ２で前記測温素子の温度測定値を取得する遷移確認フェー
ズで動作することを特徴とする携帯機器。
【請求項５】
請求項１乃至４のいずれかに記載の携帯機器において、
前記監視手段が、一定の時間内に温度測定値が前記所定温度領域を越えて下降する遷移
パタンを検出したとき、前記機能制限手段は、前記主要回路の機能を無効にすることがで
きるオフモードに移行するとともに、予め定めた待機時間後に再度温度測定値を取得して
、その温度測定値が前記所定温度領域内に復帰したときは、前記主要回路の機能を無効に
することなく、前記オフモードから前記オンモードに移行することを特徴とする携帯機器
。
【請求項６】
請求項１乃至５のいずれかに記載の携帯機器において、
いずれかの手動操作スイッチの制御が検出された後、前記監視手段が、一定の時間内に
温度測定値が上昇して前記所定温度領域内に達する遷移パタンを検出したとき、前記機能
制限手段は、前記オフモードから前記オンモードに移行する携帯機器。
【請求項７】
請求項３乃至７のいずれかに記載の携帯機器において、
前記携帯機器は、前記衝撃センサと、共振回路に励振電流を供給する回路と、音響再生
回路の制御手段と、手動操作スイッチの制御信号を受け入れる入出力インタフェースと、
前記データ処理手段と前記操作制御手段と前記監視手段と前記電圧制御手段として機能す
るマイクロプロセッサを一体に搭載した集積回路を備えることを特徴とする携帯機器。
【請求項８】
音響再生回路と、携帯機器が叩かれた衝撃を検出する衝撃検出センサと、前記音響再生
回路により駆動されるイヤホンもしくはイヤホンの付属物に固定された測温素子とを備え
た、前記携帯機器を制御するコンピュータを、
前記携帯機器が叩かれた衝撃を検出する衝撃検出センサと、
前記携帯機器が叩かれたときに、前記衝撃検出センサの出力から特性データを取得する
データ処理手段と、
それぞれ異なるパタンで前記携帯機器が叩かれたときに取得された特性データと前記携
帯機器を操作するコマンドとの対応関係を示す、コマンド解釈情報を記憶した記憶手段と
、
前記コマンド解釈情報を参照して、前記データ処理手段が取得した特性データに対応す
るコマンドを認識し、前記携帯機器を制御する操作制御手段と、
前記携帯機器に接続されたイヤホンもしくはイヤホンの付属物に固定された測温素子と
、
前記測温素子の出力を監視する監視手段と、
前記監視手段が、前記測温素子の温度測定値が所定温度領域内から当該所定温度領域外
に変化した遷移パタンを検出したとき、前記携帯機器の、少なくとも前記衝撃検出センサ
の出力を伝達し処理し実行する回路の全部または一部を含む主要回路の機能を有効にする
オンモードから、所定の待機時間経過後に当該主要回路の機能を無効にするオフモードに
移行する機能制限手段、
として機能させる携帯機器制御プログラム。
【請求項９】
音響再生回路と、前記携帯機器が叩かれた衝撃を検出する衝撃検出センサと、前記音響
再生回路により駆動されるイヤホンもしくはイヤホンの付属物に固定された測温素子とを
備えた、前記携帯機器を制御するコンピュータを、
前記携帯機器が叩かれた衝撃を検出する衝撃検出センサと、
前記携帯機器が叩かれたときに、前記衝撃検出センサの出力から特性データを取得する
データ処理手段と、
それぞれ異なるパタンで前記携帯機器が叩かれたときに取得された特性データと前記携
帯機器を操作するコマンドとの対応関係を示す、コマンド解釈情報を記憶した記憶手段と
、
前記コマンド解釈情報を参照して、前記データ処理手段が取得した特性データに対応す
るコマンドを認識し、前記携帯機器を制御する操作制御手段と、
前記携帯機器に接続されたイヤホンもしくはイヤホンの付属物に固定された測温素子と
、
前記測温素子の出力を監視する監視手段と、
前記監視手段が、前記測温素子の温度測定値が所定温度領域内から当該所定温度領域外
に変化した遷移パタンを検出したとき、前記携帯機器の、少なくとも前記衝撃検出センサ
の出力を伝達し処理し実行する回路の全部または一部を含む主要回路の機能を有効にする
オンモードから、所定の待機時間経過後に当該主要回路の機能を無効にするオフモードに
移行する機能制限手段、
として機能させる携帯機器制御プログラムを記録したコンピュータで読み取り可能な記
録媒体。
【請求項１０】
音響再生回路と、携帯機器が叩かれた衝撃を検出する衝撃検出センサと、前記音響再
生回路により駆動されるイヤホンもしくはイヤホンの付属物に固定された測温素子とを備
えた、携帯機器において、
データ処理手段が、前記携帯機器が叩かれたときに、前記衝撃検出センサの出力から特
性データを取得するステップと、
記憶手段が、それぞれ異なるパタンで前記携帯機器が叩かれたときに取得された特性デ
ータと前記携帯機器を操作するコマンドとの対応関係を示す、コマンド解釈情報を記憶す
るステップと、
操作制御手段が、前記コマンド解釈情報を参照して、前記データ処理手段が取得した特
性データに対応するコマンドを認識し、前記携帯機器を制御するステップと、
監視手段が、前記測温素子の出力を監視するステップと、
記憶手段が、前記監視手段により検出された温度を記憶するステップと、
比較手段が、前記測温素子の出力が、所定温度領域内から前記所定温度領域外に変化し
た遷移パタンを、予め設定した遷移パタンと比較するステップと、
機能制限手段が、前記比較手段が、予め設定した遷移パタンを検出したとき、前記携帯
機器の、少なくとも前記衝撃検出センサの出力を伝達し処理し実行する回路の全部または
一部を含む主要回路の機能を有効にするオンモードから、所定の待機時間経過後に当該主
要回路の機能を無効にするオフモードに移行するステップ、
を含む携帯機器制御方法。
【発明の詳細な説明】
【技術分野】
【０００１】
本発明は、指等で叩いて各種のパタンの叩きコマンドを入力し、様々な操作を可能にし
、さらに誤動作防止機能を持つ、携帯機器と携帯機器制御プログラムと記録媒体と携帯機
器制御方法に関する。
【背景技術】
【０００２】
携帯電話等の携帯機器はますます小型化される。そこで、その操作に使用されるキーや
スイッチの操作性を向上させるための開発がなされている（特許文献１参照）。
【特許文献１】特開２００６−２５２２号公報
【発明の開示】
【発明が解決しようとする課題】
【０００３】
既知の従来の技術には、次のような解決すべき課題があった。
キーやスイッチが小型化すると操作性が悪くなる。そこで、本発明者等は、携帯機器を
指等で叩いて、各種のパタンの叩きコマンドを入力して様々な操作をする方法を開発した
。これによれば、携帯機器をポケットに入れたままでも操作できる。しかし、叩きコマン
ドに近い衝撃が携帯機器に加わったとき、様々な誤動作を発生するおそれがある。例えば
、使用をしてもいないのに再生が開始されて騒音を出したり、バッテリが無駄に消耗され
るおそれがあった。また、例えば、携帯用音響機器の場合、音楽再生中に再生動作が急に
停止したり、手動操作やリモコン操作との調整を図ることも必要であった。上記の課題を
解決するために、本発明は、衝撃を検出する衝撃検出センサと測温素子を用いたイヤホン
装着検出装置により、確実に装着の有無を判定、誤動作を防止した携帯機器と携帯機器制
御プログラムと記録媒体と携帯機器制御方法を提供する。
【課題を解決するための手段】
【０００４】
以下の構成はそれぞれ上記の課題を解決するための手段である。
〈構成１〉携帯機器が叩かれた衝撃を検出する衝撃検出センサと、上記携帯機器が叩か
れたときに、上記衝撃検出センサの出力から特性データを取得するデータ処理手段と、そ
れぞれ異なるパタンで上記携帯機器が叩かれたときに取得された特性データと上記携帯機
器を操作するコマンドとの対応関係を示す、コマンド解釈情報を記憶した記憶手段と、上
記コマンド解釈情報を参照して、上記データ処理手段が取得した特性データに対応するコ
マンドを認識し、上記携帯機器を制御する操作制御手段と、上記携帯機器に接続されたイ
ヤホンもしくはイヤホンの付属物に固定された測温素子と、上記測温素子の出力を監視す
る監視手段と、上記監視手段が、上記測温素子の温度測定値が所定温度領域内から当該所
定温度領域外に変化した遷移パタンを検出したとき、上記携帯機器の、少なくとも上記衝
撃検出センサの出力を伝達し処理し実行する回路の全部または一部を含む主要回路の機能
を有効にするオンモードから、所定の待機時間経過後に当該主要回路の機能を無効にする
オフモードに移行する機能制限手段を備えたことを特徴とする携帯機器。
【０００５】
イヤホンが耳から外されたときに、監視温度の遷移パタンを検出して、自動的に主要回
路の機能の無効処理をする。従って、叩かれた衝撃によってコマンドを認識処理する機能
を持つ機器の誤動作を防止できる。主要回路は少なくとも衝撃検出センサの出力を伝達し
処理する回路の全部または一部である。衝撃検出センサ自体はもちろん、コマンドが最終
的に実行される音響再生回路の機能を無効にしてもよい。無効処理には、データを無効に
するほか、電源供給を遮断する方法もある。音響再生回路の電源供給を遮断すると、携帯
機器のバッテリの消耗を軽減できる。イヤホンが耳から外れたときでも、所定の待機時間
経過後に機能の無効処理をするので、イヤホンの装着が緩んだ程度で操作が妨げられるこ
とがない。
【０００６】
〈構成２〉構成１に記載の携帯機器において、外気温を測定する補助測温素子と、イヤ
ホンもしくはイヤホンの付属物に固定された測温素子と上記補助測温素子の出力を監視す
る監視手段とを備え、機能制限手段は、監視手段により検出された測温素子と補助測温素
子の温度測定値の差が、設定値以上から設定値以下の状態に変化した遷移パタンを検出し
たとき、上記オンモードからオフモードに移行することを特徴とする携帯機器。
【０００７】
構成１では体温を直接測定をした。構成２では体温と外気温とを比較測定する。測温
素子と補助測温素子の温度差からイヤホンの装着を判断するので、イヤホンが体温ほど温
度上昇しなくても主要回路の機能の無効処理ができる。
【０００８】
〈構成３〉構成１または２に記載の携帯機器において、上記測温素子はサーミスタから
なり、イヤホンケーブルを介して上記サーミスタを含む共振回路に励振電流を供給する回
路と、温度に依存して変化する上記サーミスタの電気抵抗と上記共振回路の共振周波数と
の関係から、温度測定値を示すディジタル信号を取得する温度検出インタフェースを備え
たことを特徴とする携帯機器。
【０００９】
測温素子は、利用者の体温により温度上昇して、所定の温度測定値を出力する。測温素
子の出力は、イヤホンケーブルを介して携帯機器に内蔵された監視手段で監視する。ここ
で測温素子として、サーミスタを使用する。サーミスタは測定温度に対応して電気抵抗を
変化させる。イヤホンケーブルを介してサーミスタを含む共振回路に励振電流を供給する
と、サーミスタの電気抵抗と共振回路の共振周波数との関係から、温度測定値を示すディ
ジタル信号を取得できる。しかも、温度検出回路が小電力で安定に動作する。
【００１０】
〈構成４〉構成１乃至３のいずれかに記載の携帯機器において、上記監視手段は、今回
測定した温度測定値と直前に測定した温度測定値との差が閾値以下のときは、時間間隔Ｔ
１で上記測温素子の温度測定値を取得する定温確認フェーズで動作し、今回測定した温度
測定値と直前に測定した温度測定値との差が閾値を越えたときは、時間間隔Ｔ１より短い
時間間隔Ｔ２で上記測温素子の温度測定値を取得する遷移確認フェーズで動作することを
特徴とする携帯機器。
【００１１】
オンモードでイヤホンが装着されていて温度が変化しないときは、長い時間間隔で温度
測定をする。これにより、監視動作に必要な電力消費を抑える。さらに、今回測定した温
度測定値と直前に測定した温度測定値との差が閾値を越えたときは、短い時間間隔で温度
測定値を取得し、遷移パタンを正確に識別する。
【００１２】
〈構成５〉構成１乃至４のいずれかに記載の携帯機器において、上記監視手段が、一定
の時間内に温度測定値が上記所定温度領域を越えて下降する遷移パタンを検出したとき、
上記機能制限手段は、上記主要回路の機能を無効にすることができるオフモードに移行す
るとともに、予め定めた待機時間後に再度温度測定値を取得して、その温度測定値が上記
所定温度領域内に復帰したときは、上記主要回路の機能を無効にすることなく、上記オフ
モードから上記オンモードに移行することを特徴とする携帯機器。
【００１３】
温度測定値が下降する遷移パタンを検出したときでも、予め定めた待機時間後に所定温
度領域内に復帰したときは、機能の無効処理をせずにオンモードに戻す。一時的に耳から
イヤホンが外れたようなときには、むやみに機能が停止しない。
【００１４】
〈構成６〉構成１乃至５のいずれかに記載の携帯機器において、いずれかの手動操作ス
イッチの制御が検出された後、上記監視手段が、一定の時間内に温度測定値が上昇して上
記所定温度領域内に達する遷移パタンを検出したとき、上記機能制限手段は、上記オフモ
ードから上記オンモードに移行する携帯機器。
【００１５】
たとえオフモードでも、手動操作スイッチの制御を優先させる構成にする。ここでいう
手動操作には、衝撃センサの検出出力による操作は含まない。ボタン等の操作による確実
な電源の投入等によって通常の使用状態に戻る。いずれかの手動操作スイッチの制御が検
出されると、イヤホンの装着を検出してオンモードに移行する。即ち、温度測定値が上昇
して所定温度領域内に達する遷移パタンを監視し、該当する遷移パタンと一致したときは
、その後、イヤホンの脱着を監視できる状態に移る。
【００１６】
〈構成７〉構成３乃至７のいずれかに記載の携帯機器において、上記携帯機器は、上記
衝撃センサと、共振回路に励振電流を供給する回路と、音響再生回路の制御手段と、手動
操作スイッチの制御信号を受け入れる入出力インタフェースと、上記データ処理手段と上
記操作制御手段と上記監視手段と上記電圧制御手段として機能するマイクロプロセッサを
一体に搭載した集積回路を備えることを特徴とする携帯機器。
【００１７】
衝撃センサや共振回路に励振電流を供給する回路等は集積回路化することができるから
、装置全体を小型化することができる。
【００１８】
〈構成８〉音響再生回路と、携帯機器が叩かれた衝撃を検出する衝撃検出センサと、上
記音響再生回路により駆動されるイヤホンもしくはイヤホンの付属物に固定された測温素
子とを備えた、上記携帯機器を制御するコンピュータを、上記携帯機器が叩かれた衝撃を
検出する衝撃検出センサと、上記携帯機器が叩かれたときに、上記衝撃検出センサの出力
から特性データを取得するデータ処理手段と、それぞれ異なるパタンで上記携帯機器が叩
かれたときに取得された特性データと上記携帯機器を操作するコマンドとの対応関係を示
す、コマンド解釈情報を記憶した記憶手段と、上記コマンド解釈情報を参照して、上記デ
ータ処理手段が取得した特性データに対応するコマンドを認識し、上記携帯機器を制御す
る操作制御手段と、上記携帯機器に接続されたイヤホンもしくはイヤホンの付属物に固定
された測温素子と、上記測温素子の出力を監視する監視手段と、上記監視手段が、上記測
温素子の温度測定値が所定温度領域内から当該所定温度領域外に変化した遷移パタンを検
出したとき、上記携帯機器の、少なくとも上記衝撃検出センサの出力を伝達し処理し実行
する回路の全部または一部を含む主要回路の機能を有効にするオンモードから、所定の待
機時間経過後に当該主要回路の機能を無効にするオフモードに移行する機能制限手段、と
して機能させる携帯機器制御プログラム。
【００１９】
〈構成９〉音響再生回路と、上記携帯機器が叩かれた衝撃を検出する衝撃検出センサと
、上記音響再生回路により駆動されるイヤホンもしくはイヤホンの付属物に固定された測
温素子とを備えた、上記携帯機器を制御するコンピュータを、上記携帯機器が叩かれた衝
撃を検出する衝撃検出センサと、上記携帯機器が叩かれたときに、上記衝撃検出センサの
出力から特性データを取得するデータ処理手段と、それぞれ異なるパタンで上記携帯機器
が叩かれたときに取得された特性データと上記携帯機器を操作するコマンドとの対応関係
を示す、コマンド解釈情報を記憶した記憶手段と、上記コマンド解釈情報を参照して、上
記データ処理手段が取得した特性データに対応するコマンドを認識し、上記携帯機器を制
御する操作制御手段と、上記携帯機器に接続されたイヤホンもしくはイヤホンの付属物に
固定された測温素子と、上記測温素子の出力を監視する監視手段と、上記監視手段が、上
記測温素子の温度測定値が所定温度領域内から当該所定温度領域外に変化した遷移パタン
を検出したとき、上記携帯機器の、少なくとも上記衝撃検出センサの出力を伝達し処理し
実行する回路の全部または一部を含む主要回路の機能を有効にするオンモードから、所定
の待機時間経過後に当該主要回路の機能を無効にするオフモードに移行する機能制限手段
、として機能させる携帯機器制御プログラムを記録したコンピュータで読み取り可能な記
録媒体。
【００２０】
〈構成１０〉音響再生回路と、携帯機器が叩かれた衝撃を検出する衝撃検出センサと、
上記音響再生回路により駆動されるイヤホンもしくはイヤホンの付属物に固定された測温
素子とを備えた、携帯機器において、データ処理手段が、上記携帯機器が叩かれたときに
、上記衝撃検出センサの出力から特性データを取得するステップと、記憶手段が、それぞ
れ異なるパタンで上記携帯機器が叩かれたときに取得された特性データと上記携帯機器を
操作するコマンドとの対応関係を示す、コマンド解釈情報を記憶するステップと、操作制
御手段が、上記コマンド解釈情報を参照して、上記データ処理手段が取得した特性データ
に対応するコマンドを認識し、上記携帯機器を制御するステップと、監視手段が、上記測
温素子の出力を監視するステップと、記憶手段が、上記監視手段により検出された温度を
記憶するステップと、比較手段が、上記測温素子の出力が、所定温度領域内から上記所定
温度領域外に変化した遷移パタンを、予め設定した遷移パタンと比較するステップと、機
能制限手段が、上記比較手段が、予め設定した遷移パタンを検出したとき、上記携帯機器
の、少なくとも上記衝撃検出センサの出力を伝達し処理し実行する回路の全部または一部
を含む主要回路の機能を有効にするオンモードから、所定の待機時間経過後に当該主要回
路の機能を無効にするオフモードに移行するステップ、を含む携帯機器制御方法。
【発明を実施するための最良の形態】
【００２１】
本発明では、携帯機器に接続されたイヤホン等に測温素子を取り付ける。そして、測温
素子が所定温度を検出しなくなったときは、所定のタイミングで機器の主要回路の機能を
無効にする。携帯機器の、少なくとも前記衝撃検出センサの出力を伝達し処理し実行する
回路の全部または一部を含む主要回路の機能を無効にすれば、誤動作を防止できる。以下
、本発明の実施の形態を実施例毎に詳細に説明する。
【実施例１】
【００２２】
図１は、実施例１の携帯機器の回路ブロック図である。
また、図２は、携帯機器の一例を示す斜視図である。
まず、図２（ａ）を用いて携帯機器の外観構成を説明する。この図において、携帯機器
１０は、手動操作スイッチ１８とディスプレイ１９とを備える。携帯機器１０には、イヤ
ホン１４がケーブル１６を介して接続されている。携帯機器１０の内部に組み込まれた音
響再生回路１２は、既知の技術によりイヤホン１４を駆動する。この携帯機器１０は、指
で叩くことにより、所定のコマンドを認識して、例えば、再生を開始するといった機能を
持つ。
【００２３】
この実施例において、イヤホン１４には、測温素子２２が固定されている。図の一点鎖
線の円内に示すように、耳孔に挿入する部分に一体にモールドすると、測温素子２２は耳
孔にほぼ密着する。これで体温を測定できる。測温素子２２を固定する場所は人体に密着
する部分ならどこでもよい。イヤホンやイヤホンの付属物で熱伝導の良いものに固定すれ
ば、少なくとも室温よりも高い温度が測定できる。赤外線により非接触で体温が測定でき
れば、そうした測温素子も利用できる。イヤホンの場合は耳孔内面に接触させるのが最も
体温を測定し易い。図２（ｂ）に示すヘッドホン２４は、イヤホンの変形例である。この
例では、耳の周囲に密着するクッション状の付属物２６の部分に測温素子２２が固定され
るとよい。
【００２４】
図１の回路は、音響再生回路１２を制御し、叩きコマンドを認識処理したり、測温素子
２２の出力を受け入れることができる回路である。図の回路は、集積回路３０により制御
される。この集積回路３０には、イヤホン１４、音響再生回路１２、手動操作スイッチ１
８、ディスプレイ１９、電源回路５０、スイッチ回路５２等が接続されている。集積回路
３０は、ＣＰＵ３２とＲＯＭ（リードオンリメモリ）３３とＲＡＭ（ランダムアクセスメ
モリ）３４とＩ／Ｏポート３６を備える。これらは、音響再生回路１２の制御手段である
。後で説明する、データ処理手段５４、操作制御手段５５、監視手段６０、比較手段６２
、電源制御手段６４として機能するマイクロプロセッサである。データ処理手段５４、操
作制御手段５５、監視手段６０、比較手段６２、機能制限手段６４は、コンピュータプロ
グラムである。
【００２５】
集積回路３０は、このマイクロプロセッサとともに、ジャイロセンサ５３と、Ａ／Ｄ変
換器３８とを含む叩きコマンド認識インタフェースとを備える。さらに、ＲＦコンバータ
４０、４２とカウンタ３９を含む温度検出インタフェースを搭載する。さらに、手動操作
スイッチ１８等の制御信号を受け入れる入出力インタフェース３６と、タイマ４６とＬＣ
Ｄドライバ４８を搭載する。ＣＰＵ３２は、中央処理装置である。ＲＯＭ３３はＣＰＵ３
２の動作用プログラム等を記憶する。ＲＡＭ３４は、例えば、音楽ファイルやコンピュー
タの動作用パラメータを記憶する。コマンド解釈情報５６は、ＲＡＭ３４に記憶される。
温度測定値もここに順次記憶されて演算処理に使用される。
【００２６】
この実施例では、衝撃検出センサとして、ジャイロセンサ５３を使用した。衝撃検出セ
ンサは、機器が叩かれた衝撃を検出する。これには、角速度センサが適する。角速度セン
サは、例えば、ある一定の回転軸を中心とした回転運動に対する回転角速度を計測して、
回転角速度に応じたアナログ電圧値を出力するようなものがよい。これには、ジャイロセ
ンサが適する。回転角速度値は特定の１軸に対するものでもよいし、互いに直交するＸＹ
Ｚ３軸に対するものでも構わない。ジャイロセンサはある一定の回転軸を中心とした回転
運動に対する回転の速さ（回転角速度）を計測するセンサである。今日広く使われている
のは「振動ジャイロセンサ」であり「コリオリの力」を利用して回転角速度を検出する。
例えば圧電効果を利用して動作する振動ジャイロスコープでは、ジャイロ素子（水晶等の
振動体）に交流電圧を加えるとコリオリ力が発生し、外力が加わると回転率や角速度に応
じた電流が発生する。この電流をジャイロセンサ内部で増幅すると、角速度に比例した電
圧が出力される。最近では超小型で低消費電力のジャイロセンサが開発され、アナログフ
ロントエンド回路やＡ ／Ｄ 変換回路とともに集積回路にパッケージ化されている。これ
は携帯電話やディジタルカメラ等に搭載され、手ぶれ補正などに用いられている。ＭＥＭ
Ｓ （micro eiectro mechanical system ）技術を応用したジャイロセンサも利用できる
。なお、例えば、マイクを叩いたときに入力される衝撃音も同様に利用できる。従って、
マイクのような音響入力装置も衝撃検出センサとして利用できる。
【００２７】
ジャイロセンサ５３の出力は、アナログ信号波形として記録することができる。コンピ
ュータ処理上、Ａ／Ｄ変換器でディジタル信号に変換してから取り込む。データ処理手段
５４は、このアナログ信号波形を解析して、特性データを取得する機能を持つ。特性デー
タには、例えば、機器を叩いた回数、機器を叩く強さの強弱、叩いた時間間隔等がある。
機器を叩いた回数は、１回、２回、３回・・・という内容の特性データになる。入力した
アナログ信号波形のレベルを閾値と比較して、閾値を越えた回数をカウントすると、機器
を叩いた回数が取得できる。入力したアナログ信号波形のレベルを強弱数段階の閾値と比
較して機器を叩く強さを、例えば、大、中、小という内容の特性データで表すことができ
る。アナログ信号波形の極大値の時間軸上の配置と、叩き始めから叩き終わりまでの時間
との関係から、叩いた時間間隔等を含む特性データが得られる。どのような特性データを
使用するかは任意である。機器を叩いた回数だけて制御してもよいし、他の特性データと
組み合わせても構わない。
【００２８】
コマンド解釈情報５６は、それぞれ異なるパタンで機器が叩かれたときに取得された特
性データと機器を操作するコマンドとの対応関係を示す。利用者が、任意のパタンで機器
を叩いて、そのつど、対応するコマンドを指定する作業を繰り返し、コマンド解釈情報を
生成することが好ましい。これにより、利用者の特性（例えば叩く強さや大きさや間隔）
と異なる叩き動作が行われた場合には、コマンドを実行させない制御ができる。従って、
他者の操作を受け付けない、セキュリティ機能の高い電子機器を提供することができる。
なお、同じ利用者が同じ叩き方をして特定のコマンドが実行されるとき、入力したアナロ
グ信号波形を比較し、類似度を計算していわゆる学習をさせると、複雑なコマンドの認識
率を高めることができる。類似度の計算は、既知のパタン認識技術を利用すればよいので
、詳細な説明を省略する。
【００２９】
操作制御手段５５は、コマンド解釈情報５６を参照して、データ処理手段５４が取得し
た特性データに対応するコマンドを認識し、機器を制御する機能を持つ。なお、この技術
が利用される携帯機器としては、携帯電話、携帯音楽プレーヤ、携帯ゲーム機、携帯音楽
プレーヤ、携帯用のパーソナルコンピュータ、ワンセグテレビジョン受像器、携帯ナビゲ
ーション装置等がある。機器本体とは別に設けられて、機器本体を操作するためのコント
ローラでもよい。
【００３０】
手動操作スイッチ１８が操作されて、音楽の再生要求があると、ＣＰＵ３２はＲＡＭ３
４に記憶された楽曲を読み出して、音響再生回路１２により演奏を開始させる。また、機
器が叩かれたときに、コマンドを認識して、音楽の再生制御等をする。測温素子２２を含
む温度検出インタフェースは、イヤホン１４が耳から外されたかどうかを監視する。外さ
れたと判断したきは、例えば、スイッチ回路５２を制御して、電源回路５０から音響再生
回路１２等への電力の供給を遮断する。同時に、ジャイロセンサ５３への電力の供給も遮
断する。タイマ４６は、モード切り換え時の待機時間管理等に使用する時計回路である。
ＬＣＤドライバ４８は、ディスプレイ１９に表示する画面を制御する。
【００３１】
測温素子２２は、この例ではサーミスタからなる。ＲＦコンバータ（レジスタンス-フ
リークエンシ・コンバータ）４０は、イヤホンケーブル１６を介してサーミスタ（測温素
子２２）に励振電流を供給する。測温素子２２はＲＦコンバータ４０に含まれた回路に接
続されてＲＣ（抵抗とコンデンサ）時定数を利用した共振回路を構成する。温度に依存し
て測温素子２２の電気抵抗が変化するとこの共振回路の共振周波数が変動する。カウンタ
３９は、ＲＦコンバータ４０の出力パルスを一定の時間範囲でカウントして、上記の共振
周波数を取得する。この共振周波数から温度測定値を示すディジタル信号を簡単な比例計
算処理により求めることができる。また、ＲＦコンバータ４２には補助測温素子４４が接
続されている。カウンタ３９は、補助測温素子４４の出力も同様にして処理することがで
きる。
【００３２】
図３は、ＲＦコンバータの具体的な結線図である。
発振制御回路６６は、繰り返し周波数、５０キロヘルツ〜１メガヘルツ程度のクロック
を出力する。発振制御回路６６には、スイッチング制御用のトランジスタＴｒ１とＴｒ２
とＴｒ３が接続されている。トランジスタＴｒ３のコレクタには、トランジスタＴｒ１と
Ｔｒ２のコレクタとは逆極性のクロックが供給される。この回路で、まず、トランジスタ
Ｔｒ３がオフでトランジスタＴｒ１とＴｒ２がオンになる。このとき、コンデンサＣの充
電電流が、発振制御回路６６−Ｔｒ２−測温素子２２−コンデンサＣと流れ、同時に、発
振制御回路６６−Ｔｒ１−抵抗器Ｒ−コンデンサＣと流れる。次のタイミングでトランジ
スタＴｒ１とＴｒ２がオフし、トランジスタＴｒ３がオンになると、コンデンサＣがトラ
ンジスタＴｒ３を通じて放電される。
【００３３】
このように、発振制御回路６６は、上記のような励振電流により、コンデンサＣを充放
電する。即ち、発振制御回路６６は、ＲＬＣ共振回路を形成する疑似インダクタンスとし
て機能する。測温素子２２の温度変化により、測温素子２２とコンデンサＣの直列回路の
時定数が変化する。従って、共振回路の共振周波数が測温素子２２の抵抗値の変化に依存
して変化する。コンデンサＣの端子電圧を、ゲートＧを介してカウンタ３９に供給する。
カウンタ３９は、一定時間範囲に入力する信号をカウントする。このカウント値は共振周
波数に相当する。ＣＰＵ３２は、Ｉ／Ｏインタフェースを介してカウンタ３９の出力信号
を受け入れ、演算処理により、温度測定値に対応するディジタルデータを取得する。コン
デンサＣへの充放電電流は微弱でよい。Ｔｒ２−測温素子２２−コンデンサＣの間を結ぶ
リード線がイヤホンコードのように長いケーブルであっても、小電力で安定に動作する。
しかも、ＲＦコンバータを含む温度検出インタフェースは集積回路に一体に搭載できるの
で、回路全体を小型化できる。なお、カウンタ３９をハードウエアにより構成したが、コ
ンピュータプログラムにより構成しても構わない。
【００３４】
まず、図１において、測温素子２２のみを用い、補助測温素子４４は使用しない動作例
を説明する。人体に密着している測温素子２２は、体温近傍の温度になり、該当する抵抗
値を示す。測温素子２２の抵抗値に対応して上記共振周波数が定まる。これをディジタル
値に変換し演算処理して温度測定値を得る。監視手段６０は温度測定値を検出する。検出
した温度測定値はＲＡＭ３４に順次記憶される。利用者の体温近傍の所定温度領域内から
定温度領域外に変化した遷移パタンを検出したとき、機能制限手段６４は、オンモードか
らオフモードの状態に移行する。即ち、イヤホンが耳から外れたと判断する。オンモード
では、携帯機器１０の主要回路に電源電力を供給している。オフモードに移行すると、所
定の待機時間経過後に主要回路に供給する電源電力を遮断する。
【００３５】
主要回路は、少なくともジャイロセンサ５３の出力を伝達し処理する回路の全部または
一部である。ジャイロセンサ５３にも電力が供給されている。これを遮断するのが最も簡
単である。また、Ａ／Ｄ変換器３８の出力を遮断したり、データ処理手段５４や操作制御
手段５５の起動を禁止したりすることもできる。コマンドによる制御の対象である音響再
生回路１２の機能を無効にしてもよい。無効処理には、データを無効にするほか、無効フ
ラグを立てたり、電源供給を遮断する方法もある。音響再生回路１２の電源供給を遮断す
ると、携帯機器のバッテリの消耗を軽減できる。イヤホンが耳から外れたときでも、所定
の待機時間経過後に機能の無効処理をするので、イヤホンの装着が緩んだ程度で操作が妨
げられることがない。
【００３６】
図４は、遷移パタンを検出するための動作説明図である。
図のグラフの縦軸は温度測定値、横軸は時間である。実線はイヤホン１４が耳から外さ
れた状態、破線はイヤホン１４が再度装着された状態の温度変化を示す。始めは、イヤホ
ン１４が耳に装着されている。図１に示した監視手段６０は、定温確認フェーズと遷移確
認フェーズの２種のフェーズで動作する。定温確認フェーズでは、時間間隔Ｔ１で測温素
子２２の温度測定値を取得する。遷移確認フェーズでは、時間間隔Ｔ１より短い時間間隔
Ｔ２で測温素子２２の温度測定値を取得する。今回測定した温度測定値と直前に測定した
温度測定値との差が閾値以下のときは、定温確認フェーズで動作する。今回測定した温度
測定値と直前に測定した温度測定値との差が閾値を越えたときは、遷移確認フェーズで動
作する。
【００３７】
閾値は例えば１度とする。閾値は、体温と外気温との関係から、イヤホン１４を耳に装
着したままでも測温素子２２の温度が変動する範囲に設定しておく。さらに、図のように
、例えば、人体の体温近傍の所定温度領域ＴＷを設定しておく。この範囲は、例えば、摂
氏３２度以上３８度以下とする。なお、この実施例では測温素子２２の温度の低下のみを
問題にするから、所定温度領域ＴＷの下限温度の３２度だけを演算処理に使用すればよい
。
【００３８】
時間間隔Ｔ１は例えば１分とする。時間間隔Ｔ２は例えば５秒とする。イヤホン１４が
耳に装着されているから、機能制限手段６４はオンモードである。オンモードで電源回路
５０はスイッチ回路５２を通じて音響再生回路１２やジャイロセンサ５３に電力を供給し
ている。オンモードで耳にイヤホン１４が装着されていて温度変化が小さいときは、長い
時間間隔Ｔ１で温度測定をする。これにより、監視動作に必要な電力消費を抑える。例え
ば、Ａ／Ｄ変換器３８によるデータサンプリング動作の回数を減らすと、電力消費を抑え
ることができる。データサンプリング動作中以外はＲＦコンバータ４０の動作を停止させ
ておくと、ＲＦコンバータ４０の電力消費を抑えることができる。
【００３９】
図のグラフの時刻ｔ１と時刻ｔ２の間では、温度変化は微小で、定温確認フェーズが継
続する。時刻ｔ２と時刻ｔ３の間で温度が１度以上変化し、遷移確認フェーズに移行した
。時刻ｔ４以降は５秒間隔で温度測定値を取得する。時刻ｔ５で温度測定値が所定温度領
域ＴＷを越えて下降する状態が検出された。監視手段６０は、イヤホンが耳から外された
ときの遷移パタンであると判断する。時刻ｔ３〜時刻ｔ５の間で温度測定値が順に下降し
ていること、及び、時刻ｔ５の温度測定値が３２度以下であることが、その条件である。
ここで、機能制限手段６４は、オフモードに移行して、例えば、所定の待機時間ＴＸだけ
待機し、再度温度測定値を取得する。所定の待機時間ＴＸは、例えば５分とする。
【００４０】
この温度測定値が所定温度領域ＴＷ以下であるときは、例えば、叩きコマンド制御のた
めの信号の無効処理をしたり、スイッチ回路５２を制御して、電源回路５０から音響再生
回路１２に供給する電力を遮断する。一方、時刻ｔ５あるいは時刻ｔ６に、温度測定値が
所定温度領域ＴＷ内に復帰することがある。イヤホンを装着しなおした場合等である。こ
のときは、信号の無効処理をしたり電源電力を遮断することなく、オフモードからオンモ
ードに移行するとよい。温度測定値が下降する遷移パタンを検出したときでも、予め定め
た待機時間後に所定温度領域内に復帰したときは、オンモードに戻す。一時的に耳からイ
ヤホン１４が外れたようなときには、むやみに機能が停止されないので、快適に使用でき
るという効果がある。
【００４１】
イヤホン１４には、耳孔に差し込むものや耳に掛けるもの、ヘッドホン２４形式のもの
が含まれる。いずれも、イヤホン１４本体、あるいはイヤホン１４の付属物２６が、使用
時に人体にほぼ密着している。その部分に、埋め込み等により測温素子２２を固定すると
よい。測温素子２２が人体に密着していると、人体の体温近傍の所定温度領域内の温度測
定値を出力する。熱抵抗その他の条件によって、やや低めの温度が測定されることが多い
。イヤホン１４が耳から外されると、上記所定温度領域外に移行する。このときの所定時
間内の温度変化を遷移パタンとし、装着判定に利用する。所定時間は、上記の待機時間を
含む、誤動作防止のための十分に長い時間である。
【００４２】
所定の遷移パタンが検出されたとき、機能制限手段６４は、オンモードからオフモード
に移行する。遷移パタンは、例えば、周期的に取得した温度測定値の変化率と変化量の閾
値等により設定しておく。変化率は時間あたりの温度変化量である。オンモードとは、少
なくとも衝撃検出センサの出力を伝達し処理し実行する回路の全部または一部を含む主要
回路の機能を有効にさせている状態である。このときは携帯機器１０のこの主要回路だけ
でなく、音響信号再生のための回路にも電源電力を供給している。これで、叩きコマンド
の制御が可能になる。オフモードとは、所定の待機時間経過後に当該主要回路の機能を無
効にする状態である。オフモードに移行しても、所定の待機時間経過後に、初めて、主要
回路の機能を無効にする。イヤホン１４が耳から外れてもすぐに元に戻したような場合は
、主要回路の機能を無効にせずに、オフモードからオンモードに復帰させることができる
。
【実施例２】
【００４３】
上記の実施例では、体温を測定する測温素子２２のみをイヤホン１４の装着監視に使用
した。実施例２では、携帯機器１０の人体に密着しない部分に固定された補助測温素子４
４を合わせて使用する。補助測温素子４４は、例えば、携帯機器１０のケースに固定して
、外気温の測定に使用するとよい。監視手段６０は、測温素子２２と補助測温素子４４の
出力を監視する。監視手段６０により検出された測温素子２２と補助測温素子４４の温度
差の変化を、比較手段６２が、所定の遷移パタンと比較する。
【００４４】
補助測温素子４４による温度測定値は、例えば、３分に１回取得しておく。これが外気
温に相当する。例えば、摂氏１８度とする。体温は摂氏３５度程度に取得される。上記の
温度差が、設定値以下に変化した遷移パタンを検出したときに、イヤホンが耳から外れた
と判断する。通常の温度差が１７度であるから、１４度くらいを設定値に決めるとよい。
温度差が設定値以下になったときには、機能制限手段６４がオンモードからオフモードに
移行する。その後の動作は、実施例１と同様である。実施例１では絶対温度測定をした。
実施例２では相対温度測定をする。測温素子２２と補助測温素子４４の温度差からイヤホ
ン１４の装着を判断するので、人体の体温を正確に測定できない状況でも誤動作を防止で
きる。
【実施例３】
【００４５】
図１に示した携帯機器１０において、手動操作スイッチ１８の制御により、強制的に各
種機能を復活させることができる。即ち、手動操作スイッチ１８の制御を、機能制限手段
６４の制御に優先させる。従って、例えば、手動操作により再生開始要求等があると、無
条件に楽曲の再生が開始される。このときイヤホン１４は耳に装着されているはずである
。機能制限手段６４はこれまでのオフモードからオンモードに移行しなければならない。
そこで、監視手段６０が、温度測定値を監視する。一定の時間内に温度測定値が上昇して
所定温度領域内に達する遷移パタンを検出したとき、機能制限手段６４は、オフモードか
らオンモードに移行する。これで、実施例１で説明した動作をすることができる状態に戻
る。即ち、温度測定値が上昇して所定温度領域内に達する遷移パタンを監視し、該当する
遷移パタンと一致したときは、その後、イヤホン１４の脱着を監視できる状態に移ること
ができる。
【実施例４】
【００４６】
図５は衝撃検出動作とコマンド解釈機能の説明図である。
まず、機器が叩かれると、ジャイロセンサ５３がその衝撃を検出して、図に示すような
波形データを出力する。ここでは、叩き回数が２回の例を説明する。ローパスフィルタで
高周波ノイズを取り、Ａ／Ｄ変換してデータを得る。波形データは上下対象だから、例え
ば、上半分だけを処理してよい。閾値ＴＨを越えた回数は時刻ｔ１と時刻ｔ３の２回であ
る。その周期はゼロクロスした時刻ｔ２から時刻ｔ４の間隔である。これで、データ処理
手段５４は、叩き回数が２回という特性データを取得する。
【００４７】
次に、この特性データが操作制御手段５５にわたされると、コマンド解釈情報５６が参
照される。このコマンド解釈情報５６は、利用者が予め登録をして生成しておいたもので
ある。叩き回数が２回だから、「再生ストップ」というコマンドが選択されて、音響再生
回路１２の制御がされる。このような処理で、図のいずれかの手段の機能あるいは入出力
機能を無効にすれば、叩きコマンドの認識機能は無効になる。ジャイロセンサ５３や音響
再生回路１２への電力供給を停止しても、叩きコマンドの認識機能は無効になる。これに
より、オフモードに移行できる。
【実施例５】
【００４８】
図６はオンモードからオフモードに移行する動作のフローチャートである。
以下、上記の装置を実現するためのコンピュータプログラムの説明をする。まず、最初
はイヤホン１４が耳に装着されている状態で、機能制限手段６４はオンモードである。ス
テップＳ１１では、定温確認フェーズで動作している。従って、例えば、監視手段６０は
、１分間隔で温度測定値を取得し、これを記憶装置に記憶する。ステップＳ１２では、比
較手段６２が、直前に記憶した温度測定値と今回記憶した温度測定値とを比較して、温度
が下降したかどうかという判断をする。この判断の結果がイエスのときはステップＳ１３
の処理に移行し、ノーのときはステップＳ１１の処理に戻る。
【００４９】
ステップＳ１３では、遷移確認フェーズに切り換える。即ち、これ以後は５秒毎に温度
測定値を取得する。ステップＳ１４では、温度遷移パタンの検出処理をする。例えば、連
続３回分の温度測定値が漸減（単調減少）していれば、「漸減パタン」と判断する。ステ
ップＳ１５では、比較手段６２が、「漸減パタン」を検出したかどうかという判断をする
。この判断の結果がイエスのときはステップＳ１６の処理に移行し、ノーのときはステッ
プＳ１４の処理に戻る。
【００５０】
ステップＳ１６では、機能制限手段６４が、これまでのオンモードからオフモードに移
行する。そして、ステップＳ１７で５分間待機をする。さちに、再度温度測定値を取得し
て、所定温度領域かどうかを判定する。即ち、ステップＳ１８で、所定温度領域に復帰し
たかどうかという判断をする。この判断の結果がイエスのときはステップＳ１１の処理に
戻り、再び定温確認フェーズで動作する。イヤホン１４が耳に再装着されたケースである
。ノーのときはステップＳ１９の処理に移行する。ステップＳ１９では、機能制限手段６
４が叩きコマンド認識機能を無効にする。あるいは、スイッチ回路５２をオフする。さら
に、ステップＳ２０では、温度測定を終了する。電源が自動的に遮断された後は、使用者
がイヤホンを再び装着して強制的に電源をオンするまで、温度測定は不要である。従って
、ステップＳ２０のような制御にした。
【００５１】
図７は、遷移パタンの認識処理動作フローチャートである。
この処理は、図６のステップＳ１４のさらに具体的な手順を示す。まず、ステップＳ２
１で、監視手段６０は温度測定間隔を５秒にセットする。ステップＳ２２で監視手段６０
は温度測定値を取得する。ステップＳ２３で、比較手段６２が前回測定値との差分を取得
する。ステップＳ２４では、差分を閾値（例えば、１度）と比較する。ステップＳ２５で
は、温度測定値と所定温度領域（体温領域）の最低値とを比較する。ステップＳ２６では
、比較手段６２が上記の比較結果に基づいてパタン認識をする。即ち、数回の温度測定値
が閾値以上変動しながら低下しており、最後の温度測定値が上記領域の最低値以下という
パタンかどうかを判定する。
【００５２】
図８は、２個の測温素子を使用したときの動作フローチャートである。
ステップＳ３１では、メインの測温素子２２の出力を取得する。次に、ステップＳ３２
で、補助測温素子４４の出力を取得する。ステップＳ３３では、測温素子２２の出力と補
助測温素子４４の出力の差分を計算する。これをそのまま温度測定値として記憶装置に記
憶させればよい。前回の温度測定値と今回の温度測定値の差分から温度の漸減バタンを判
定するには、絶対的な温度は意識しなくてよい。また、測温素子２２の出力が補助測温素
子４４の出力に閾値以上接近したときに、イヤホン１４が耳から外されたと判断すればよ
い。
【００５３】
図９は、携帯機器を再起動させるときの動作フローチャートである。
これは電源が遮断されている場合の制御である。始めは温度測定も何も行われていない
。ステップＳ４１で再生要求スイッチの操作を検出したかどうかという判断をする。この
判断の結果がイエスのときはステップＳ４２の処理に移行し、ノーのときは待機する。ス
テップＳ４２では、遷移確認フェーズの動作を開始する。ステップＳ４３では、温度測定
間隔を例えば、１０秒にセットする。ステップＳ４４では、パタン認識処理をする。即ち
、ステップＳ４５で、温度測定値が「漸増パタン」かどうかという判断をする。この判断
の結果がイエスのときはステップＳ４６の処理に移行し、ノーのときは待機する。ここで
は最低２回以上の温度計測を行うとよい。温度変化をステップ応答として見た場合に、温
度変化の時定数に対して十分小さい時間間隔で温度測定値を取得する。３回連続して計測
をすると、熱平衡状態での温度を推測計算できる。この推測計算結果がイヤホン１４を耳
に装着したときの値に近ければ、オンモードに移行するとよい。即ち、ステップＳ４６で
オンモードに移行する。これ以降に、叩きコマンドの入力が可能になる。ステップＳ４７
では、図７のステップＳ１１に示したとおりの定温確認フェーズで動作させる。
【００５４】
なお、上記のコンピュータプログラムは、機能ブロックで図示した単位でモジュール化
されてもよいし、複数の機能ブロックを組み合わせて一体化されてもよい。また、上記の
コンピュータプログラムは、既存のアプリケーションプログラムに組み込んで使用しても
よい。本発明を実現するためのコンピュータプログラムは、例えばＣＤ−ＲＯＭのような
コンピュータで読み取り可能な記録媒体に記録してインストールして利用することができ
る。
【図面の簡単な説明】
【００５５】
【図１】実施例１の携帯機器の回路ブロック図。
【図２】携帯機器の一例を示す斜視図。
【図３】ＲＦコンバータの具体的な結線図。
【図４】遷移パタンを検出するための動作説明図。
【図５】衝撃検出動作とコマンド解釈機能の説明図。
【図６】オンモードからオフモードに移行する動作フローチャート。
【図７】遷移パタンの認識処理動作フローチャート。
【図８】２個の測温素子を使用したときの動作フローチャート。
【図９】携帯機器を再起動させるときの動作フローチャート。
【符号の説明】
【００５６】
１０  携帯機器、１２  音響再生回路、１４  イヤホン、１６  ケーブル、１８  手動操
作スイッチ、１９  ディスプレイ、２２  測温素子、２４  ヘッドホン、２６  付属物、
３０  集積回路、３２  ＣＰＵ、３３  ＲＯＭ、３４  ＲＡＭ、３６  Ｉ／Ｏポート、３
８  Ａ／Ｄ変換器、４０  ＲＦコンバータ、４２  ＲＦコンバータ、４４  補助測温素子
、４６  タイマ、４８  ＬＣＤドライバ、５０  電源回路、５２  スイッチ回路、５３  
ジャイロセンサ、５４  データ処理手段、５５  操作制御手段、５６  コマンド解釈情報
、６０  監視手段、６２  比較手段、６４  電源制御手段、６６  発振制御回路
【図１】
2008263477.tif 000003
【図２】
2008263477.tif 000004
【図３】
2008263477.tif 000005
【図４】
2008263477.tif 000006
【図５】
2008263477.tif 000007
【図６】
2008263477.tif 000008
【図７】
2008263477.tif 000009
【図８】
2008263477.tif 000010
【図９】
2008263477.tif 000011